(57)【要約】【課題】放電電圧を得る為の発振回路が故障して発振周波数が上昇した場合でも、放電に起因する騒音が発生し難く、また、オゾン発生量が増加し難いイオン発生装置の提供。【解決手段】直流電圧Ｖccが抵抗８を通じて与えられるコンデンサ９と、コンデンサ９からの放電電流を断続する為の周期信号を出力する発振回路６とを備え、コンデンサ９からの放電電流の断続を利用して昇圧された電圧により放電して、プラスイオンとマイナスイオン又はマイナスイオンを発生させるように構成してあるイオン発生装置。抵抗８及びコンデンサ９からなる回路の時定数が、発振回路６が出力する周期信号の周期の１／３以上に設定されている構成である。【選択図】図１
2008153125.tif 000002
【特許請求の範囲】
【請求項１】
直流電圧が抵抗を通じて与えられるコンデンサと、該コンデンサからの放電電流を断続する為の周期信号を出力する発振回路とを備え、前記放電電流の断続を利用して昇圧された電圧により放電して、プラスイオンとマイナスイオン又はマイナスイオンを発生させるように構成してあるイオン発生装置において、
前記抵抗及びコンデンサからなる回路の時定数が、前記発振回路が出力する周期信号の周期の１／３以上に設定されていることを特徴とするイオン発生装置。
【請求項２】
直流電圧が抵抗を通じて与えられるコンデンサと、該コンデンサに並列に接続され、昇圧トランスの１次側コイル及びスイッチング素子が直列に接続された直列回路と、前記スイッチング素子をオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、
前記抵抗及びコンデンサからなる回路の時定数が、前記発振回路が出力する周期信号の周期の１／３以上に設定されていることを特徴とするイオン発生装置。
【請求項３】
昇圧トランスの１次側コイル及び電界効果トランジスタが直列に接続され、直流電圧が与えられる直列回路と、前記電界効果トランジスタのゲートを抵抗を通じてオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、
前記抵抗と前記電界効果トランジスタのゲート入力容量とからなる回路の時定数が、前記発振回路が出力する周期信号のパルス幅より短く、且つ該パルス幅より短い所定時間以上に長く設定されていることを特徴とするイオン発生装置。
【請求項４】
直流電圧が第１抵抗を通じて与えられるコンデンサと、該コンデンサに並列に接続され、昇圧トランスの１次側コイル及び電界効果トランジスタが直列に接続された直列回路と、前記電界効果トランジスタのゲートを第２抵抗を通じてオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、
前記第１抵抗及びコンデンサからなる回路の時定数が、前記発振回路が出力する周期信号の周期の１／３以上に設定されると共に、前記第２抵抗と前記電界効果トランジスタのゲート入力容量とからなる回路の時定数が、前記発振回路が出力する周期信号のパルス幅より短く、且つ該パルス幅より短い所定時間以上に長く設定されていることを特徴とするイオン発生装置。
【発明の詳細な説明】
【技術分野】
【０００１】
本発明は、空気中の浮遊細菌を殺菌除去し、空気中の有害物質を除去する為のプラスイオン及びマイナスイオンを、放電電極の放電により発生させるイオン発生素子を備えたイオン発生装置に関するものである。
【背景技術】
【０００２】
従来から、コロナ放電を応用してプラスイオン及びマイナスイオンを発生させるイオン発生素子を用いたイオン発生装置が提案され、空気浄化技術の一つとして空気調和機及び空気清浄機等に組み込まれて実用化されている。これらのイオン発生装置は、入力電源仕様で交流の商用電源を用いるタイプと、比較的低電圧の直流電源を用いるタイプとの２つに分類される。本発明に係るイオン発生装置は、このうちの直流電源を用いるタイプに属する。
【０００３】
ここで、従来の直流電源を用いるイオン発生装置の例としては、ＣＲ時定数で放電周期が規定される図８に示すようなイオン発生装置が、特許文献１に開示されている。
このイオン発生装置では、直流電源から制限抵抗８を通じてコンデンサ９が充電され、その充電電圧の分圧抵抗２３，２４，２５による分電圧値が、基準電圧に達すると、シャントレギュレータ２１がオンになり、これにより、トランジスタ２２がオンになる。トランジスタ２２がオンになると、他のコンデンサ２６への充電が開始され、コンデンサ２６の充電電圧がトリガ電圧に達すると、スイッチング素子３０がオンになって、コンデンサ９からの放電が開始され、その放電電流は昇圧トランス２の１次側コイルを通じて接地端子へ流れる。
【０００４】
コンデンサ９からの放電により、コンデンサ９の充電電圧の分圧抵抗２３，２４，２５による分電圧値が、基準電圧より低下すると、シャントレギュレータ２１がオフになり、これにより、トランジスタ２２がオフになる。
トランジスタ２２がオフになると、コンデンサ２６からの放電が開始され、コンデンサ２６の充電電圧がトリガ電圧を下回ると共に、コンデンサ９の電荷が流れ切ることによりスイッチング素子３０がオフになって、昇圧トランス２の１次側コイルを流れるコンデンサ９からの放電電流が遮断されると共に、コンデンサ９への充電が再開される。
【０００５】
コンデンサ９への充電が再開され、その充電電圧の分圧抵抗２３，２４，２５による分電圧値が、基準電圧に達すると、シャントレギュレータ２１がオンになり、トランジスタ２２がオンになる。
以上の動作を繰り返すことにより、コンデンサ９の充電電圧が、昇圧トランス２により昇圧され、昇圧された電圧が放電電圧を超えると、昇圧トランス２の２次側コイルの両端に接続された放電電極１が放電し、マイナスイオン、プラスイオンを発生させる。
【０００６】
上述したような直流電源入力タイプのイオン発生装置は、周期的にスイッチング素子３０がオンして、昇圧トランス２の２次側コイルに、放電電極１が放電するのに十分な高電圧を発生させれば良いので、図９に示すように、発振回路６の出力信号に基づき昇圧トランス２をスイッチングする回路構成でも実現することができる。
図９に示すイオン発生装置は、平滑コンデンサ７で安定化された直流電源電圧Ｖccが発振回路６に与えられ、発振回路６は、所定周期の周期信号を出力し、インバータ５に与える。インバータ５で反転された周期信号は、ゲート抵抗４を通じて、スイッチング素子（電界効果トランジスタ）３のゲートに与えられる。
【０００７】
スイッチング素子３は、昇圧トランス２の１次側コイルの一方の端子と接地端子との間に接続され、１次側コイルの他方の端子には、直流電源電圧Ｖccが与えられる。１次側コイルの両端子間には、スイッチング素子３を保護する為のフライバックダイオード１０が接続されている。
昇圧トランス２の２次側コイルの両端子は、２個の電極を有する放電電極１の各電極に各接続されている。
【０００８】
以下に、このような構成のイオン発生装置の動作を、それを示す図１０のタイミングチャートを参照しながら説明する。
発振回路６が、略直流電源電圧Ｖccから接地電位に一時的に変化する周期信号を出力すると（図１０（ａ）節点Ａ）、インバータ５で反転された周期信号に基づき、ゲート抵抗４とスイッチング素子３のゲート入力容量との時定数に従う電圧（（ｂ）節点Ｂ）が、スイッチング素子３のゲートに印加される。これにより、スイッチング素子３はオンになり、昇圧トランス２の１次側コイルに電流が流れて、１次側コイルの他方の端子側の電圧は、一時的に接地電位に降下する（（ｃ）節点Ｃ）。
【０００９】
昇圧トランス２の１次側コイルに一時的に電流が流れて遮断されると、その電流の変化により、１次側コイル及び２次側コイルの巻数比に応じて昇圧された交流電圧（（ｄ）節点Ｄ）が２次側コイルに誘起され、誘起された電圧が放電電圧（±ＨＶ）を超えると、放電電極１が放電し、マイナスイオン、プラスイオンを発生させる。
【００１０】
一方、発振回路６の不具合による異常動作で、周期信号が例えば３倍以上に増加した場合は、図１１（ａ）〜（ｄ）に示すように、そのままの短い周期で昇圧トランス２の１次側のスイッチング素子３がオンすることになり、放電回数が３倍以上に増加する。
【特許文献１】特開２００５−３３２７７４号公報
【発明の開示】
【発明が解決しようとする課題】
【００１１】
上述した図９に示すイオン発生装置では、イオンを発生する放電周期が非常に安定してバラツキが少なく、イオンの発生量を制御する場合の目安となる放電回数の精度が高いという利点が得られる。一方、このように発振回路と昇圧トランス１次側のスイッチング素子が分離されていると、上述したように、発振回路が故障して発振周波数が上昇した場合に、スイッチング素子はその周期信号により昇圧トランスを駆動するので、放電回数が５倍、１０倍等の異常な回数になっても、そのまま放電を続けることになる。
【００１２】
その為、放電回数が可聴周波数領域に入ることになり、放電に起因する騒音が発生するという問題がある。また、放電により生じるオゾン発生量が、放電回数に比例して増加するので、イオン発生装置が使用される空間が大きい場合には影響は無いものの、密閉度が高い小さな空間で使用される場合には、オゾン臭が顕著になり不快感を与えるという問題が生じる。
本発明は、上述したような事情に鑑みてなされたものであり、放電電圧を得る為の発振回路が故障して発振周波数が上昇した場合でも、放電に起因する騒音が発生し難く、また、オゾン発生量が増加し難いイオン発生装置を提供することを目的とする。
【課題を解決するための手段】
【００１３】
本発明に係るイオン発生装置は、直流電圧が抵抗を通じて与えられるコンデンサと、該コンデンサからの放電電流を断続する為の周期信号を出力する発振回路とを備え、前記放電電流の断続を利用して昇圧された電圧により放電して、プラスイオンとマイナスイオン又はマイナスイオンを発生させるように構成してあるイオン発生装置において、前記抵抗及びコンデンサからなる回路の時定数が、前記発振回路が出力する周期信号の周期の１／３以上に設定されていることを特徴とする。
【００１４】
このイオン発生装置では、直流電圧が抵抗を通じてコンデンサに与えられ、発振回路が、コンデンサからの放電電流を断続する為の周期信号を出力し、放電電流の断続を利用して昇圧された電圧により放電して、プラスイオンとマイナスイオン又はマイナスイオンを発生させる。前記抵抗及びコンデンサからなる回路の時定数は、発振回路が出力する周期信号の周期の１／３以上に設定されている。
【００１５】
本発明に係るイオン発生装置は、直流電圧が抵抗を通じて与えられるコンデンサと、該コンデンサに並列に接続され、昇圧トランスの１次側コイル及びスイッチング素子が直列に接続された直列回路と、前記スイッチング素子をオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、前記抵抗及びコンデンサからなる回路の時定数が、前記発振回路が出力する周期信号の周期の１／３以上に設定されていることを特徴とする。
【００１６】
このイオン発生装置では、直流電圧が抵抗を通じてコンデンサに与えられ、昇圧トランスの１次側コイル及びスイッチング素子が直列に接続された直列回路が、コンデンサに並列に接続されている。発振回路が、スイッチング素子をオン／オフする周期信号を出力し、昇圧トランスの２次側コイルの両端子間に接続された放電電極が、その両端子間の所定値以上の電圧により放電して、プラスイオンとマイナスイオン又はマイナスイオンを発生させる。前記抵抗及びコンデンサからなる回路の時定数は、発振回路が出力する周期信号の周期の１／３以上に設定されている。
【００１７】
本発明に係るイオン発生装置は、昇圧トランスの１次側コイル及び電界効果トランジスタが直列に接続され、直流電圧が与えられる直列回路と、前記電界効果トランジスタのゲートを抵抗を通じてオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、前記抵抗と前記電界効果トランジスタのゲート入力容量とからなる回路の時定数が、前記発振回路が出力する周期信号のパルス幅より短く、且つ該パルス幅より短い所定時間以上に長く設定されていることを特徴とする。
【００１８】
このイオン発生装置では、昇圧トランスの１次側コイル及び電界効果トランジスタが直列に接続された直列回路に、直流電圧が与えられ、電界効果トランジスタのゲートを抵抗を通じてオン／オフする周期信号を発振回路が出力する。昇圧トランスの２次側コイルの両端子間に接続された放電電極が、その両端子間の所定値以上の電圧により放電して、プラスイオンとマイナスイオン又はマイナスイオンを発生させる。前記抵抗と電界効果トランジスタのゲート入力容量とからなる回路の時定数が、発振回路が出力する周期信号のパルス幅より短く、且つ該パルス幅より短い所定時間以上に長く設定されている。
【００１９】
本発明に係るイオン発生装置は、直流電圧が第１抵抗を通じて与えられるコンデンサと、該コンデンサに並列に接続され、昇圧トランスの１次側コイル及び電界効果トランジスタが直列に接続された直列回路と、前記電界効果トランジスタのゲートを第２抵抗を通じてオン／オフする周期信号を出力する発振回路と、前記昇圧トランスの２次側コイルの両端子間に接続され、該両端子間の所定値以上の電圧により放電して、プラスイオンとマイナスイオン又はマイナスイオンを発生させる放電電極とを備えるイオン発生装置において、前記第１抵抗及びコンデンサからなる回路の時定数が、前記発振回路が出力する周期信号の周期の１／３以上に設定されると共に、前記第２抵抗と前記電界効果トランジスタのゲート入力容量とからなる回路の時定数が、前記発振回路が出力する周期信号のパルス幅より短く、且つ該パルス幅より短い所定時間以上に長く設定されていることを特徴とする。
【００２０】
このイオン発生装置では、直流電圧が第１抵抗を通じてコンデンサに与えられ、昇圧トランスの１次側コイル及び電界効果トランジスタが直列に接続された直列回路が、コンデンサに並列に接続されている。電界効果トランジスタのゲートを第２抵抗を通じてオン／オフする周期信号を発振回路が出力し、昇圧トランスの２次側コイルの両端子間に接続された放電電極が、その両端子間の所定値以上の電圧により放電して、プラスイオンとマイナスイオン又はマイナスイオンを発生させる。第１抵抗及びコンデンサからなる回路の時定数が、発振回路が出力する周期信号の周期の１／３以上に設定されると共に、第２抵抗と電界効果トランジスタのゲート入力容量とからなる回路の時定数が、発振回路が出力する周期信号のパルス幅より短く、且つ該パルス幅より短い所定時間以上に長く設定されている。
【発明の効果】
【００２１】
本発明に係るイオン発生装置によれば、放電電圧を得る為の発振回路が故障して発振周波数が上昇した場合でも、放電を停止、又は放電を弱めることにより、放電に起因する騒音が発生し難く、また、オゾン発生量が増加し難く不快臭が増大し難いイオン発生装置を実現することができる。
【発明を実施するための最良の形態】
【００２２】
以下に、本発明をその実施の形態を示す図面に基づき説明する。
（実施の形態１）
図１は、本発明に係るイオン発生装置の実施の形態１の構成を示すブロック図である。
このイオン発生装置は、平滑コンデンサ７で安定化された直流電源電圧Ｖccが発振回路６に与えられ、発振回路６は、所定周期の周期信号を出力し、インバータ５に与える。インバータ５で反転された周期信号は、スイッチング素子（電界効果トランジスタ）３のゲートに与えられる。
【００２３】
スイッチング素子３は、昇圧トランス２の１次側コイルの一方の端子と接地端子との間に接続され、１次側コイルの他方の端子には、抵抗８を通じて直流電源電圧Ｖccが与えられる。また、１次側コイルの他方の端子及び接地端子間にコンデンサ９が接続されている。抵抗８及びコンデンサ９からなる回路の時定数は、発振回路６が出力する周期信号の周期の１／３以上に設定されている。
昇圧トランス２の２次側コイルの両端子は、２個の電極を有する放電電極１の各電極に各接続されている。
【００２４】
以下に、このような構成のイオン発生装置の動作を、それを示す図２，３のタイミングチャートを参照しながら説明する。
図示しない電源スイッチがオンになると、直流電源電圧Ｖccにより抵抗８を通じて、抵抗８及びコンデンサ９からなる回路の時定数に従って、コンデンサ９が、その両端電圧が略直流電源電圧Ｖccになる迄満充電される（図２（ｃ）節点Ｃ）。
【００２５】
コンデンサ９が満充電された後、発振回路６が、略直流電源電圧Ｖccから接地電位に一時的に変化する周期信号を出力すると（図２（ａ）節点Ａ）、インバータ５で反転された周期信号に基づき、スイッチング素子３のゲート入力容量の時定数に従う電圧（（ｂ）節点Ｂ）が、スイッチング素子３のゲートに印加される。これにより、スイッチング素子３はオンになり、昇圧トランス２の１次側コイルにコンデンサ９からの放電電流が流れて、１次側コイルの他方の端子側の電圧は、一時的に接地電位に降下する（（ｃ）節点Ｃ）。
【００２６】
昇圧トランス２の１次側コイルに一時的に電流が流れると（ｂ）、その電流の変化により、１次側コイル及び２次側コイルの巻数比に応じて昇圧された交流電圧（（ｄ）節点Ｄ）が２次側コイルに誘起され、誘起された電圧が放電電圧（±ＨＶ）を超えると、放電電極１が放電し、マイナスイオン、プラスイオンを発生させる。
【００２７】
昇圧トランス２の１次側コイルの電流が遮断されると（ｂ）、コンデンサ９は、両端電圧が略直流電源電圧Ｖccになる迄満充電される（（ｃ）節点Ｃ）。コンデンサ９が満充電された後、発振回路６が、再び略直流電源電圧Ｖccから接地電位に一時的に変化する周期信号を出力する（図２（ａ）節点Ａ）。
以上の動作が繰り返されることにより、昇圧トランス２の２次側コイルに接続された放電電極１には、放電するのに十分な高電圧のインパルス電圧が印加され（（ｄ）節点Ｄ）、マイナスイオン、プラスイオンを発生させることができる。
【００２８】
一方、発振回路６の半田不良又は部品故障等の不具合による異常動作で、周期信号が例えば３倍以上に増加したと仮定した場合（図３（ａ））、スイッチング素子３は、発振回路６の周期信号に同期してオン／オフされる（（ｂ）節点Ｂ）。この為、コンデンサ９の充電期間が１／３以下になり、コンデンサ９の充電電圧は、抵抗８及びコンデンサ９の時定数により、正常作動時の６割程度にとどまる（（ｃ）節点Ｃ）。従って、昇圧トランス２の２次側コイルに誘起される電圧も低下し、放電電極１は、放電電圧以下の電圧（（ｄ）節点Ｄ）しか印加されないので、放電不能となり、騒音が発生せず、オゾンも発生しない。
また、昇圧トランス２の２次側コイルに誘起される電圧の低下が不十分で、放電電極１が、放電電圧を超える電圧（（ｄ）節点Ｄ）を印加されたとしても、その放電は弱くなっており、発生する騒音は小さく、オゾンの発生量も少ない。
【００２９】
（実施の形態２）
図４は、本発明に係るイオン発生装置の実施の形態２の構成を示すブロック図である。
このイオン発生装置は、平滑コンデンサ７で安定化された直流電源電圧Ｖccが発振回路６に与えられ、発振回路６は、所定周期の周期信号を出力し、インバータ５に与える。インバータ５で反転された周期信号は、ゲート抵抗４を通じてスイッチング素子（電界効果トランジスタ）３のゲートに与えられる。ゲート抵抗４とスイッチング素子３のゲート入力容量とからなる回路の時定数は、正常動作時の発振回路６が出力する周期信号のパルス幅より短く、且つ異常動作時のパルス幅以上に長く設定されている。
【００３０】
尚、前記所定周期は、発振回路６が故障時に出力する可能性のある周期信号の周期の内で、それ以上に放電回数が増加すると、騒音及びオゾン発生による影響が大きくなる周期に決定される。
また、発振回路６は、タイマーＩＣであり、図示しない外付けコンデンサと外付け抵抗とにより、出力信号の周期、パルス幅を任意に設定できる。例えば、外付けコンデンサが接続不良になると、出力信号の周波数が数倍に上昇するが、出力信号のパルス幅は数マイクロ秒と正常動作時に比べて小さくなる。
【００３１】
スイッチング素子３は、昇圧トランス２の１次側コイルの一方の端子と接地端子との間に接続され、１次側コイルの他方の端子には直流電源電圧Ｖccが与えられる。
昇圧トランス２の２次側コイルの両端子は、２個の電極を有する放電電極１の各電極に各接続されている。
【００３２】
以下に、このような構成のイオン発生装置の動作を、それを示す図５，６のタイミングチャートを参照しながら説明する。
発振回路６が、略直流電源電圧Ｖccから接地電位に一時的に変化する周期信号を出力すると（図５（ａ）節点Ａ）、インバータ５で反転された周期信号に基づき、ゲート抵抗４とスイッチング素子３のゲート入力容量とからなる回路の時定数に従う電圧（（ｂ）節点Ｂ）が、スイッチング素子３のゲートに印加される。これにより、スイッチング素子３はオンになり、昇圧トランス２の１次側コイルに電流が流れて、１次側コイルの他方の端子側の電圧は、一時的に接地電位に降下する（（ｃ）節点Ｃ）。
【００３３】
昇圧トランス２の１次側コイルに一時的に電流が流れると（ｂ）、その電流の変化により、１次側コイル及び２次側コイルの巻数比に応じて昇圧された交流電圧（（ｄ）節点Ｄ）が２次側コイルに誘起され、誘起された電圧が放電電圧（±ＨＶ）を超えると、放電電極１が放電し、マイナスイオン、プラスイオンを発生させる。
【００３４】
ここで、ゲート抵抗４とスイッチング素子３のゲート入力容量とからなる回路の時定数が、正常動作時に発振回路６が出力する周期信号のパルス幅より短く設定されているので、スイッチング素子３は、発振回路６が出力する周期信号に応じて作動することができる。
以上の動作が繰り返されることにより、昇圧トランス２の２次側コイルに接続された放電電極１には、放電するのに十分な高電圧のインパルス電圧が印加され（（ｄ）節点Ｄ）、マイナスイオン、プラスイオンを発生させることができる。
【００３５】
一方、発振回路６の半田不良又は部品故障等の不具合による異常動作で、周期信号が３倍以上に増加したと仮定した場合（図６（ａ））、スイッチング素子３は、発振回路６の周期信号に同期してオン／オフされる（（ｂ）節点Ｂ）。このとき、ゲート抵抗４とスイッチング素子３のゲート入力容量とからなる回路の時定数が、異常動作時の発振回路６が出力する周期信号のパルス幅以上に長く設定されていれば、スイッチング素子３は、ゲート電圧が十分上昇することができず、オン電流が減少する。
【００３６】
実際には、異常動作時には、発振回路６からの出力パルス幅が小さくなる為（図６（ａ）節点Ａ）、十分に大きい値のゲート抵抗（例えば２ｋΩ）とスイッチング素子（ＦＥＴ）のゲート入力容量との時定数により、ゲート電圧は上昇し切れず、正常動作時よりも低下する（（ｂ）節点Ｂ）。その為、オン電流が減少し（（ｃ）節点Ｃ）、昇圧トランス２の２次側コイルの端子電圧が低下して、放電電極１の放電電圧（±ＨＶ）よりも低くなり（（ｄ）節点Ｄ）、放電不能となるので、騒音が発生せず、オゾンも発生しない。
【００３７】
スイッチング素子３のゲート電圧は、使用するＦＥＴ固有である為、ゲート抵抗４の値は使用する素子の特性を考慮して決めれば良い。また、正常時に適切に作動する必要があるので、ゲート抵抗４の値をむやみに大きく設定できない場合は、昇圧トランス２の２次側コイルの端子電圧が、放電電圧近く迄低下するように設定するだけでも、放電電極１の放電を弱めることができ、発生する騒音が小さくなり、オゾンの発生量も少なくなる。
【００３８】
（実施の形態３）
図７は、本発明に係るイオン発生装置の実施の形態３の構成を示すブロック図である。
このイオン発生装置は、図１及び図４に各示すイオン発生装置を組み合わせたものであり、平滑コンデンサ７で安定化された直流電源電圧Ｖccが発振回路６に与えられ、発振回路６は、定められた周期の周期信号を出力し、インバータ５に与える。インバータ５で反転された周期信号は、ゲート抵抗４を通じてスイッチング素子（電界効果トランジスタ）３のゲートに与えられる。ゲート抵抗４とスイッチング素子３のゲート入力容量とからなる回路の時定数は、正常動作時の発振回路６が出力する周期信号のパルス幅より短く、異常動作時のパルス幅以上に長く設定されている。
【００３９】
尚、前記所定周期は、発振回路６が故障時に出力する可能性のある周期信号の周期の内で、それ以上に放電回数が増加すると、騒音及びオゾン発生による影響が大きくなる周期に決定される。
また、発振回路６は、タイマーＩＣであり、図示しない外付けコンデンサと外付け抵抗とにより、出力信号の周期、パルス幅を任意に設定できる。例えば、外付けコンデンサが接続不良になると、出力信号の周波数が数倍に上昇するが、出力信号のパルス幅は数マイクロ秒と正常動作に比べて小さくなる。
【００４０】
スイッチング素子３は、昇圧トランス２の１次側コイルの一方の端子と接地端子との間に接続され、１次側コイルの他方の端子には、抵抗８を通じて直流電源電圧Ｖccが与えられる。また、１次側コイルの他方の端子及び接地端子間にコンデンサ９が接続されている。抵抗８及びコンデンサ９からなる回路の時定数は、発振回路６が出力する周期信号の周期の１／３以上に設定されている。
昇圧トランス２の２次側コイルの両端子は、２個の電極を有する放電電極１の各電極に各接続されている。
【００４１】
このような構成のイオン発生装置の動作は、上述した図１及び図４に各示すイオン発生装置の各動作を合わせたものと同様であるので、説明を省略する。
このイオン発生装置では、図１及び図４に各示すイオン発生装置のそれぞれにおいて、異常時に昇圧トランス２の２次側コイルの端子電圧を十分に低下させられない場合に、それぞれの構成を組み合わせることにより、２次側コイルの端子電圧を、放電電極１が放電しない電圧に迄低下させることができる。
【図面の簡単な説明】
【００４２】
【図１】本発明に係るイオン発生装置の実施の形態の構成を示すブロック図である。
【図２】図１に示すイオン発生装置の動作の例を示すタイミングチャートである。
【図３】図１に示すイオン発生装置の異常時の動作の例を示すタイミングチャートである。
【図４】本発明に係るイオン発生装置の実施の形態の構成を示すブロック図である。
【図５】図４に示すイオン発生装置の動作の例を示すタイミングチャートである。
【図６】図４に示すイオン発生装置の異常時の動作の例を示すタイミングチャートである。
【図７】本発明に係るイオン発生装置の実施の形態の構成を示すブロック図である。
【図８】従来のイオン発生装置の構成例を示すブロック図である。
【図９】従来のイオン発生装置の構成例を示すブロック図である。
【図１０】図９に示すイオン発生装置の動作の例を示すタイミングチャートである。
【図１１】図９に示すイオン発生装置の異常時の動作の例を示すタイミングチャートである。
【符号の説明】
【００４３】
１  放電電極
２  昇圧トランス
３  スイッチング素子
４  ゲート抵抗
５  インバータ
６  発振回路
７  平滑コンデンサ
８  抵抗
９  コンデンサ
【図１】
2008153125.tif 000003
【図２】
2008153125.tif 000004
【図３】
2008153125.tif 000005
【図４】
2008153125.tif 000006
【図５】
2008153125.tif 000007
【図６】
2008153125.tif 000008
【図７】
2008153125.tif 000009
【図８】
2008153125.tif 000010
【図９】
2008153125.tif 000011
【図１０】
2008153125.tif 000012
【図１１】
2008153125.tif 000013